(57)【要約】【課題】フラッシュのコンデンサによるカメラ内の部品配置の制約を解消する。【解決手段】カメラ本体３の前面にスライド自在に取り付けられた板状のレンズバリア４に半円柱形状の突起１０を形成し、その中に円柱形状のコンデンサ１３を収納する。コンデンサ１３は、カメラ本体３内のフラッシュ基板１９に接続されたフレキシブルプリント基板１４に取り付けられている。コンデンサ１３をレンズバリア４に収納することによりカメラ本体３内に形成された空きスペースには、大容量の電池２０を収納する。【選択図】図２
2008139460.tif 000002
【特許請求の範囲】
【請求項１】
撮影レンズを有するカメラ本体と、
前記カメラ本体に設けられ、前記撮影レンズを覆い隠す保護位置と、前記撮影レンズを外部に露呈させる撮影位置との間で移動自在とされたレンズバリアと、
前記カメラ本体に設けられ、撮影時に被写体に向けて光を照射するフラッシュ発光部、及びこのフラッシュ発光部を発光させるフラッシュ回路が設けられたフラッシュ基板と、
前記レンズバリア内に収納され、前記フラッシュ回路を構成するコンデンサと、
前記フラッシュ基板と前記コンデンサとを接続する配線手段とを備えることを特徴とするレンズバリア付きカメラ。
【請求項２】
前記レンズバリアは、カメラ本体の前面に取り付けられて左右方向に配された撮影位置と遮蔽位置の間でスライド移動され、
前記コンデンサは、前記レンズバリアに上下方向に沿って配され、かつ前方に向けて突出するように形成された突起内に収納されることを特徴とする請求項１記載のレンズバリア付きカメラ。
【請求項３】
前記突起は、撮影位置にスライドされたときに、前記カメラ本体を背後から見て右側方に配置され、当該カメラ本体を保持する際のグリップとして用いられることを特徴とする請求項２記載のレンズバリア付きカメラ。
【請求項４】
前記突起内に、前記上下方向に長手方向が沿うように略棒状のコンデンサを収納することを特徴とする請求項２または３記載のレンズバリア付きカメラ。
【請求項５】
前記突起内に、前記上下方向に長手方向が沿うように複数個の略棒状のコンデンサを収納することを特徴とする請求項２または３記載のレンズバリア付きカメラ。
【請求項６】
前記レンズバリアを略板状に形成し、前記レンズバリア内に複数個の略棒状のコンデンサを並べて収納することを特徴とする請求項１記載のレンズバリア付きカメラ。
【請求項７】
前記コンデンサは、平板形状のコンデンサであることを特徴とする請求項６記載のレンズバリア付きカメラ。
【請求項８】
前記コンデンサは、一方の端部に端子が設けられており、前記複数個のコンデンサは、隣り合うコンデンサ同士で前記端子の配置が互い違いになるように並べられることを特徴とする請求項６または７記載のレンズバリア付きカメラ。
【発明の詳細な説明】
【技術分野】
【０００１】
本発明は、レンズバリア付きカメラに関し、更に詳しくは、フラッシュを備えるレンズバリア付きカメラに関する。
【背景技術】
【０００２】
近年のカメラは、ズームレンズの高倍率化に伴い、内蔵するフラッシュの光量アップが図られている。フラッシュの光量をアップするために、容量の大きなコンデンサが用いられるが、この大容量のコンデンサは外形サイズが大きいため、カメラ内で他の部品の配置を制約するという問題がある。
【０００３】
例えば、特許文献１記載のカメラでは、フラッシュのコンデンサを容量の小さな２個のコンデンサから構成し、この２個のコンデンサの間にフラッシュ回路の他の部品を配置することで、カメラ内の部品配置の効率化を図っている。
【０００４】
また、撮影レンズを保護するスライド式のレンズバリアを備えるカメラが従来から知られている。（例えば、特許文献２参照）。
【特許文献１】特開平０６−２２２４３２号公報
【特許文献２】特開２００１−０５６４９７号公報
【発明の開示】
【発明が解決しようとする課題】
【０００５】
特許文献１記載の発明では、２個のコンデンサの間のスペースを有効利用できるものの、カメラ内にコンデンサを組み込むスペースが必要なことに変わりはないため、他部品の配置の制約を解消することはできない。
【０００６】
本発明は、上記問題を解決するために、フラッシュのコンデンサによるカメラ内の部品配置の制約を解消することを目的とする。
【課題を解決するための手段】
【０００７】
上記課題を解決するために、本発明のレンズバリア付きカメラは、撮影レンズを有するカメラ本体と、カメラ本体に設けられ、撮影レンズを覆い隠す遮蔽位置と、撮影レンズを外部に露呈させる撮影位置との間で移動自在とされたレンズバリアと、カメラ本体に設けられ、撮影時に被写体に向けて光を照射するフラッシュ発光部、及びこのフラッシュ発光部を発光させるフラッシュ回路が設けられたフラッシュ基板と、レンズバリア内に収納され、フラッシュ回路を構成するコンデンサと、フラッシュ基板とコンデンサとを接続する配線手段とから構成したものである。
【０００８】
上記構成によれば、突起によりレンズバリアの操作性を向上することができる。また、突起内にコンデンサを収納することにより、カメラ本体内に空きスペースを形成することができ、カメラ本体を小型化することもできる。
【０００９】
また、レンズバリアは、カメラ本体の前面に取り付けられて左右方向に配された撮影位置と遮蔽位置の間でスライド移動される形態とし、コンデンサは、レンズバリアに上下方向に沿って配され、かつ前方に向けて突出するように形成された突起内に収納するようにしたものである。これによれば、突起がレンズバリアのスライド方向と直交する方向に沿って設けられるので、レンズバリアの操作性が向上する。
【００１０】
更に、レンズバリアの突起は、レンズバリアが撮影位置にスライドされたときに、カメラ本体を背後から見て右側方に配置されるようにしたので、カメラ本体を保持する際のグリップとして兼用することができる。
【００１１】
また、略棒状のコンデンサを使用し、その長手方向が突起の上下方向に沿うように収納するので、突起内のスペースを有効に利用することができる。また、コンデンサは、大きな容量のコンデンサを１個使用する代わりに、小容量のコンデンサを複数個使用してもよい。これによれば、コンデンサの配置により突起形状の自由度を高めることができる。
【００１２】
また、レンズバリアに複数個の略棒状のコンデンサを並べて収納してもよい。この場合、平板形状のコンデンサを用いることが好ましい。また、一方の端部に端子が設けられているコンデンサを用いる場合には、隣り合うコンデンサ同士で端子の配置が互い違いになるように並べることが好ましい。
【発明の効果】
【００１３】
本発明のレンズバリア付きカメラによれば、カメラ本体にフラッシュのコンデンサを組み込まないので、カメラ本体内に空きスペースを形成することができる。これにより、カメラ本体の小型化、あるいは他部品の設置スペースの拡充等を図ることができる。
【００１４】
また、レンズバリアに突起を設けたので、レンズバリアの操作性を向上させることができる。更に、突起をグリップとして使用することができるので、カメラの把持性が向上する。
【００１５】
更に、複数個のコンデンサを並べてレンズバリアに組み込む場合には、カメラの厚み寸法を極端に大きくすることなく、カメラ本体内に空きスペースを形成することができる。
【発明を実施するための最良の形態】
【００１６】
図１に示す本発明のデジタルカメラ２は、矩形状のカメラ本体３と、このカメラ本体３の前面３ａに取り付けられたレンズバリア４から構成している。カメラ本体３の前面右上には、撮影レンズ５を配置し、カメラ本体３の上面には、撮影時に押圧操作されるレリーズボタン６と、撮影時に被写体に向けて光を照射するフラッシュ発光部７が設けている。
【００１７】
レンズバリア４は、カメラ本体３の前面３ａに左右方向に沿って形成された溝３ｂに嵌合され、撮影レンズ５を露呈させる撮影位置（図１（Ａ）参照）と、撮影レンズ５を遮蔽する保護位置（図１（Ｂ）参照）の間でスライド自在としている。レンズバリア４の前面４ａの左端には、上下方向に沿って配され、かつ前方に向けて突出する半円柱状の突起１０が設けられている。
【００１８】
突起１０の内部には、その上下方向に長手方向が沿うように、円柱形状のコンデンサ１３が収納されている。このコンデンサ１３は、カメラ本体３内に設けられたフラッシュ回路の一部を構成し、その端子１３ａはレンズバリア４内からカメラ本体３内に引き回されたフレキシブルプリント基板（ＦＰＣ）１４の実装部１４ａに接続されている。このフレキシブルプリント基板１４は、本発明の配線手段を構成する。
【００１９】
図２に示すように、カメラ本体３内には、撮影レンズ５やＣＣＤイメージセンサ等の撮像素子を含む撮像部１７と、カメラ本体３の背面３ｃから視認可能に露呈され、撮影画像等の表示に用いられる表示部１８と、フラッシュ回路が設けられたフラッシュ基板１９と、デジタルカメラ２の電源となる電池２０が組み込まれている。コンデンサ１３をレンズバリア４内に収納することで、カメラ本体３内に空きスペースが生じるが、本実施形態では、その空きスペースに容量の大きな電池２０を組み込んでいる。これにより、デジタルカメラ２の使用可能時間が延びるため、撮影可能枚数や携帯性等が向上する。
【００２０】
フレキシブルプリント基板１４は、実装部１４ａから突設された配線部１４ｂを有しており、この配線部１４ｂは、前面３ａに形成された開口３ｄからカメラ本体３内に引き込まれ、フラッシュ基板１９に取り付けられたコネクタ２３に接続されている。これにより、コンデンサ１３は、フラッシュ回路に電気的に接続される。フレキシブルプリント基板１４は、レンズバリア４の開閉によってレンズバリア４内で屈曲される。
【００２１】
次に、上記実施形態の作用について説明する。不使用時のデジタルカメラ２は、図１（Ｂ）及び図２（Ｂ）に示すように、レンズバリア４によって撮影レンズ５が保護されている。撮影を行なう際には、レンズバリア４の突起１０に指を掛けてスライド操作し、図１（Ａ）及び図２（Ａ）に示すように、撮影レンズ５を露呈させる。撮影のためにデジタルカメラ２を右手で把持するが、その際に突起１０はグリップとして使用することができるので把持性が向上し、手ぶれ等を軽減することができる。
【００２２】
なお、上記実施形態では、レンズバリア４に１本の円柱形状のコンデンサ１３を収納したが、図３に示すデジタルカメラ３０のように、複数本、例えば３本のコンデンサ３１を突起１０内に収納してもよい。この場合、コンデンサ３１の本数は３本に限定されず、複数本のコンデンサの合計容量が、フラッシュ回路に必要な容量をまかなうことができればよい。このデジタルカメラ３によれば、複数本のコンデンサ３１の配置を適宜変更することができるので、突起１０の形状の自由度を高めることができる。
【００２３】
また、上記実施形態では、各コンデンサ３１の端子３１ａを折り曲げてフレキシブルプリント基板１４の実装部１４ａに接続しているが、図４に示すように、実装部１４ａを折り曲げ、その折り曲げ部１４ｃの下面に各コンデンサ３１の端子３１ａを接続してもよい。これによれば、端子３１ａが短くなるのでハンダ付けが簡単になる。
【００２４】
また、上記各実施形態では、レンズバリア４に突起１０を形成してコンデンサを収納したが、図５に示すデジタルカメラ３４のように、レンズバリア３５を板状に形成し、その中に複数本、例えば４本の円柱形状のコンデンサ３６を並べて収納してもよい。これによれば、レンズバリア３５の最大厚み寸法が小さくなるので、デジタルカメラ２の携帯性が向上する。
【００２５】
また、図６に示すデジタルカメラ４０のように、板状のレンズバリア４１内に、平板形状のコンデンサ４２を並べて収納してもよい。これによれば、レンズバリア４１の厚み寸法が薄くなるため、デジタルカメラ４０の携帯性が更に向上する。
【００２６】
また、上記デジタルカメラ３４、４０では、コンデンサ３６、４２の端子３６ａ，４２ａを一方向に揃えて並べたが、図７に示す４本のコンデンサ４５のように、端子４５ａの向きが互い違いになるように配置してもよい。端子の方向を揃えて並べる場合、隣り合うコンデンサのハンダランドの間にスペースを設ける必要があるため、各コンデンサの間に隙間を設けて並べる必要があるが、本実施形態によれば、各コンデンサ４５をくっつけて並べることができ、コンデンサの収納スペースを小さくすることができる。なお、このコンデンサの配置は、前述の平板形状のコンデンサ４２にも適用することができる。
【００２７】
なお、上記実施形態では、カメラ本体内に形成された空きスペースに電池を収納したが、画像データを記憶する記憶媒体等、その他の部品を組み込んで機能向上を図ってもよい。また、空きスペース分だけカメラ本体を小型化してもよい。更に、デジタルカメラを例に説明したが、銀塩カメラ等にも適用することができる。また、スライド式のレンズバリアを例に説明したが、これに限定されるものではない。
【図面の簡単な説明】
【００２８】
【図１】第１実施形態のデジタルカメラの外観形状を示す斜視図である。
【図２】第１実施形態のデジタルカメラの断面図である。
【図３】第２実施形態のデジタルカメラの外観形状を示す斜視図である。
【図４】コンデンサの取り付けの別例を示す斜視図である。
【図５】第３実施形態のデジタルカメラの外観形状を示す斜視図である。
【図６】第４実施形態のデジタルカメラの外観形状を示す斜視図である。
【図７】コンデンサの配列の別例を示す斜視図である。
【符号の説明】
【００２９】
２，３０，３４，４０  デジタルカメラ
３  カメラ本体
４，３５，４１  レンズバリア
５  撮影レンズ
１０  突起
１３，３１，３６，４２，４５  コンデンサ
１４  フレキシブルプリント基板
【図１】
2008139460.tif 000003
【図２】
2008139460.tif 000004
【図３】
2008139460.tif 000005
【図４】
2008139460.tif 000006
【図５】
2008139460.tif 000007
【図６】
2008139460.tif 000008
【図７】
2008139460.tif 000009